(57)【要約】【課題】シーソースイッチの美感を損なわずに、操作ノブの誤操作を防止するための部材を前面パネルに設ける。【解決手段】シーソースイッチ１００は、少なくとも１つのスイッチ素子が設けられた基板１０上に揺動可能に支持され、揺動によってスイッチ素子を選択的に操作する操作ノブ２０と、基板１０の上方を覆うパネルであって、操作ノブ２０を上方へ露出させる開口部３２が形成された前面パネル３０と、前面パネル３０の上面に開口部３２の幅方向の各周縁部に沿って設けられる、操作ノブの誤操作を防止する一対のリブ３４とを備える。操作ノブ２０は、いずれのスイッチ素子も操作しない中立位置において、操作ノブ２０の上面と前面パネル３０の上面とが面一になるように基板１０上に支持される。【選択図】図１Ａ
2009099313.tif 000002
【特許請求の範囲】
【請求項１】
少なくとも１つのスイッチ素子が設けられた基板上に揺動可能に支持され、当該揺動によってスイッチ素子を選択的に操作する操作ノブと、
前記基板の上方を覆うパネルであって、前記操作ノブを上方へ露出させる開口部が形成された前面パネルと、
前記前面パネルの上面に前記開口部の幅方向の各周縁部に沿って設けられる、前記操作ノブの誤操作を防止するための一対の誤操作防止部材と、
を備え、
前記操作ノブは、いずれのスイッチ素子も操作しない中立位置において、前記操作ノブの上面と前面パネルの上面とが面一になるように前記基板上に支持される、
ことを特徴とするシーソースイッチ。
【請求項２】
請求項１に記載のシーソースイッチにおいて、
前記開口部の長手方向の各周縁部は、前記前面パネルの上面から前記基板に向かって下り傾斜する傾斜部を有する、
ことを特徴とするシーソースイッチ。
【発明の詳細な説明】
【技術分野】
【０００１】
本発明は、シーソースイッチ、特に、各種機器の入力操作部などに用いられるシーソースイッチの改良に関するものである。
【背景技術】
【０００２】
従来から電子機器などの操作や設定を行う場合にスイッチ装置が用いられている。スイッチ装置は、用途に応じて適切な形態のスイッチが選択される。スイッチ装置としては、例えば、特許文献１や特許文献２などに開示されているように、操作面の一端部を押下することによりその位置に対応する内部接点を選択的にオン／オフするシーソースイッチが知られている。
【０００３】
シーソースイッチは、２つ以上の操作状態の択一的選択が容易であるとともに、操作ノブの操作状態の視覚的判断や触感的判断が容易であり、車両搭載機器のように、一瞬の目視判断や手探り判断を必要とする場合には、有効である。
【０００４】
図３Ａは、従来の車載用のシーソースイッチ２００の外観斜視図である。図３Ｂは、従来の車載用のシーソースイッチ２００の図３Ａに記された線Ａ−Ａに沿った断面図である。化粧板などの前面パネル３００には開口部３０２が形成されており、操作ノブ２０２が、この開口部３０２から露出した状態で基板（図示せず）上に設けられる。前面パネル３００の開口部３０２の幅方向の周縁部３０２ａには、操作ノブ２０２の両側面に沿って、前面パネル３００の上方に向かって突出した一対のリブ３０４が形成されている。
【０００５】
リブは、安全性の観点から、操作ノブが誤って操作されるのを防止するために設けられる部材である。シーソースイッチは、パワーウィンドウ、パーティションパネル、ルーフパネルなどの車載用の差動装置として用いる場合、例えば米国連邦自動車安全基準の一項目であるＦＭＶＳＳ１１８に対応するように設計される。ＦＭＶＳＳ１１８では、２〜３歳の幼児の膝を模擬した半径２０ｍｍの半球形（球形でも可）を、差動装置に荷重１３５Ｎで押し当てても、差動装置によって作動される窓などが如何なる開ポジションからもクローズし始めないことが要求されている。そこで、シーソースイッチでは、上記のように、前面パネルにリブを形成することで、操作ノブの誤操作を防止し、ＦＭＶＳＳ１１８に対応するように設計される。
【０００６】
【特許文献１】特開平１１−５３９９２号公報
【特許文献２】特開２００４−４７１６５号公報
【発明の開示】
【発明が解決しようとする課題】
【０００７】
ところが、従来のシーソースイッチでは、図３Ｂに示すようにリブの前面パネルに対する高さｈが高かった。また、リブの高さが高いと、剛性を高くするために肉厚を厚くする必要があり、特にリブの根元部３０４ａの肉厚が厚くなっていた。このように、リブの高さが高く、肉厚が厚いと、意匠の美感を損ねる。
【０００８】
本発明は、シーソースイッチの美感を損なわずに、操作ノブの誤操作を防止する部材を前面パネルに設けることを１つの目的とする。
【課題を解決するための手段】
【０００９】
本発明に係るシーソースイッチは、少なくとも１つのスイッチ素子が設けられた基板上に揺動可能に支持され、当該揺動によってスイッチ素子を選択的に操作する操作ノブと、前記基板の上方を覆うパネルであって、前記操作ノブを上方へ露出させる開口部が形成された前面パネルと、前記前面パネルの上面に前記開口部の幅方向の各周縁部に沿って設けられる、前記操作ノブの揺動を規制する一対の揺動規制部材と、を備え、前記操作ノブは、いずれのスイッチ素子も操作しない中立位置において、前記操作ノブの上面と前面パネルの上面とが面一になるように前記基板上に支持されることを特徴とする。
【００１０】
本発明に係るシーソースイッチの１つの態様では、前記開口部の長手方向の各周縁部は、前記前面パネルの上面から前記基板に向かって下り傾斜する傾斜部を有することを特徴とする。
【発明の効果】
【００１１】
本発明によれば、操作ノブの上面と前面パネルの上面とが面一であるため、操作ノブの誤操作を防止するための誤操作防止部材の前面パネルの上面からの高さを低くすることができる。
【発明を実施するための最良の形態】
【００１２】
本発明を実施するための最良の形態（以下、「実施形態」と称す）について、以下図面を用いて説明する。
【００１３】
図１Ａは、本実施形態におけるシーソースイッチ１００の外観斜視図である。また、図１Ｂは、本実施形態におけるシーソースイッチ１００の平面図であり、図１Ｃは、本実施形態におけるシーソースイッチ１００の図１Ｂに記された線Ａ−Ａに沿った断面図である。なお、図１Ａ，図１Ｂ，図１Ｃでは、図面の簡略化のため、説明に関連しない部分の構造は省略してある。
【００１４】
本実施形態に係るシーソースイッチ１００は、例えば車両などに設けられ、パワーウィンドウ、パーティションパネル、ルーフパネルなどの車載用の差動装置として用いられる。
【００１５】
本実施形態に係るシーソースイッチ１００は、基板１０と、基板１０の上方を覆う前面パネル３０と、前面パネル３０に形成された開口部３２から上面が露出し、操作者の押下操作により揺動する操作ノブ２０とを備える。
【００１６】
基板１０は、シーソースイッチ１００の底面を構成する部品である。基板１０上には、スイッチ素子（図示せず）が設けられる。本実施形態では、２個のスイッチ素子を有する場合のシーソースイッチ１００を例示する。また、基板１０上には、一対の支持部１４が突設されている。各支持部１４には突起部１４ａが対向して形成されている。各突起部１４ａが操作ノブ２０に設けられた被支持部２２の貫通孔２２ａ内に嵌め込まれることにより、各突起部１４ａを支点として、つまり、各支点を通る揺動軸を中心として、揺動可能となるように操作ノブ２０が基板１０に支持される。
【００１７】
操作ノブ２０は、シーソースイッチ１００を操作する際に力を受ける部分である。操作ノブ２０の上面は略平面である。操作ノブ２０の周縁部は面取りされ、上面から底面に向かって下り傾斜する傾斜面２０ａが形成されている。操作ノブ２０の幅方向の両側壁には、上面から底面に向かって延びる一対の被支持部２２が設けられている。各被支持部２２には、円形の貫通孔２２ａが外側面に形成される。
【００１８】
前面パネル３０は、基板１０と略平行に配される、いわゆる化粧板である。前面パネル３０には、操作ノブ２０よりも一回り大きい形状の開口部３２が形成され、この開口部３２を通じて操作ノブ２０が前面パネル３０の上方へ露出される。開口部３２の幅方向の各周縁部には、操作ノブ２０の幅方向の各側面に沿って、前面パネル３０の上方に向かって突出したリブ３４が形成される。リブ３４は、操作ノブ２０が誤って操作されることを防止するための誤動作防止部材である。
【００１９】
なお、本実施形態では、操作ノブ２０は、基板１０上に配設された一対の支持部１４によって支持されている。しかし、例えば、前面パネル３０の裏面に、基板１０に向かって延びる支持部材を形成し、その支持部材によって操作ノブ２０を揺動可能に支持してもよい。
【００２０】
このように構成されたシーソースイッチ１００において、本実施形態では、いずれのスイッチ素子も操作しない、つまりスイッチング動作を行っていない中立位置での操作ノブ２０の上面と、前面パネル３０の上面とが面一になるように、操作ノブ２０が被支持部２２および支持部１４を介して基板１０に配設されることを特徴とする。つまり、スイッチング動作を行っていない中立位置での操作ノブ２０の上面と、前面パネル３０の上面とが同一平面もしくは同一曲面上に位置するように、操作ノブ２０を配設することを特徴とする。このように配設することで、ＦＭＶＳＳ１１８の基準を満たし、かつ、操作ノブ２０の上面が前面パネル３０の上面より高い位置で基板１０に配設される場合よりも、前面パネル３０の上面からのリブ３４の高さを低くすることができる。例えば、従来のシーソースイッチでは、ＦＭＶＳＳ１１８の基準を満たすように、前面パネルの上面からのリブの高さｈ（図３Ｂを参照）は、約５．５ｍｍであった。しかし、本実施形態では、ＦＭＶＳＳ１１８の基準を満たし、かつ、リブの高さｈを約３．１ｍｍとすることができる。よって、本実施形態によれば、リブの高さを低くできるため、リブの根元部の肉厚を従来より薄くすることができる。
【００２１】
なお、リブの高さを低くするために、操作ノブ２０の上面が前面パネル３０の上面よりも低くなるように操作ノブ２０を配設することが考えられる。つまり、操作ノブ２０を前面パネル３０の上面から陥没した状態で配設することも考えられる。しかし、このような状態では、意匠の美感を損ねるため好ましくない。よって、意匠の美感を損ねないためにも、操作ノブ２０の上面と、前面パネル３０の上面とは面一にすることが好ましい。
【００２２】
ここで、操作ノブ２０の上面と、前面パネル３０の上面とを面一にした場合、操作ノブ２０を中立位置から、各突起部１４ａを支点として、いずれか一方のスイッチング位置に揺動する際に、図２Ａに示すように、操作ノブ２０の長手方向の押圧される側の端部２０ｂと、開口部３２の長手方向の押圧される側の周縁部３２ａとの間に操作者の指が挟まれるおそれがある。
【００２３】
そこで、本実施形態では、図１Ａや図２Ｂに示すように、開口部３２の長手方向の各周縁部３２ａを面取りして、上開口縁部３６ａから下開口縁部３６ｂに向かって下り傾斜する傾斜部３６を形成する。つまり、開口部３２の長手方向の各周縁部３２ａにいわゆる座ぐりを形成する。このように座ぐりを形成することで、操作ノブ２０の長手方向の押圧される側の端部２０ｂと、開口部３２の長手方向の押圧される側の周縁部３２ａとの間に操作者の指が挟まれることを防止することができ、操作ノブ２０の操作性を向上させることができる。
【００２４】
なお、リブ３４は、ＦＭＶＳＳ１１８の基準を満たすように、操作ノブ２０の誤操作を防止する誤操作防止部材であればよい。よって、例えば、誤操作防止部材は、複数の突起部材を、開口部３２の幅方向に沿って配列することで、構成してもよい。
【図面の簡単な説明】
【００２５】
【図１Ａ】本実施形態に係るシーソースイッチの外観斜視図である。
【図１Ｂ】本実施形態におけるシーソースイッチの平面図である。
【図１Ｃ】本実施形態におけるシーソースイッチの図１Ｂに記された線Ａ−Ａに沿った断面図である。
【図２Ａ】シーソースイッチの開口部に形成される座ぐりについて説明するための図である。
【図２Ｂ】シーソースイッチの開口部に形成される座ぐりについて説明するための図である。
【図３Ａ】従来のシーソースイッチの外観斜視図である。
【図３Ｂ】従来のシーソースイッチの図３Ａに記された線Ａ−Ａに沿った断面図である。
【符号の説明】
【００２６】
１０  基板、１４  支持部、２０  操作ノブ、２２  被支持部、３０  前面パネル、３２  開口部、３４  リブ、３６  傾斜部、１００  シーソースイッチ。
【図１Ａ】
2009099313.tif 000003
【図１Ｂ】
2009099313.tif 000004
【図１Ｃ】
2009099313.tif 000005
【図２Ａ】
2009099313.tif 000006
【図２Ｂ】
2009099313.tif 000007
【図３Ａ】
2009099313.tif 000008
【図３Ｂ】
2009099313.tif 000009